(57)【要約】【目的】 様々な素材の物品の表面上に平面的又は曲面的に形成した特別なベース部材面上に任意に貼付け取外しできる略平面的形状の装飾用チップ材料を提案するものである。【構成】 所定の着脱構造３により物品表面のベース部材２に対して着脱可能とされた略平面形状チップ１であり、表面側が任意の色彩や模様、文字などによって平面的又は立体的に装飾され、所定形状の略平面形状チップ１を１枚又は複数枚連続して物品表面のベース部材２に取付けることで、物品表面のベース部材２全面や所定の範囲を被って好みの装飾を施すことができる物品表面装飾用チップ。【選択図】   図１
2007062180.tif 000002
【特許請求の範囲】
【請求項１】
所定の着脱構造により物品表面のベース部材に対して着脱可能とされた略平面形状チップであり、表面側が任意の色彩や模様、文字などによって平面的又は立体的に装飾され、所定形状の略平面形状チップを１枚又は複数枚連続して物品表面のベース部材に取付けることで、物品表面のベース部材全面や所定の範囲を被って好みの装飾を施すことができることを特徴とする物品表面装飾用チップ。
【請求項２】
ベース部材もチップ状に形成されており、該チップ状ベース部材を適宜な柔軟性を持たせた紙、布、皮、プラスチックなどのベースシート上の所定箇所に取付けることで、柔軟性を持った物品表面に対しても好みの装飾を施すことが可能となることを特徴とする請求項１に記載の物品表面装飾用チップ。
【請求項３】
略平面形状チップが可撓性を有する素材により形成されており、該可撓性を利用してベース部材に対する着脱が可能となるようにされていることを特徴とする請求項１または請求項２に記載の物品表面装飾用チップ。
【請求項４】
略平面形状チップの表面側模様として各種のキャラクター形状を採用していることを特徴とする請求項１〜請求項３の何れか１つに記載の物品表面装飾用チップ。
【請求項５】
ベース部材を携帯ミラー、鉛筆入れ、整理ボックス、カレンダーケース、時計、ストラップ、キーチェーン、柔軟性素材による服やベルト、かばん、ノート、袋、帽子、箱などの各種物品表面に設けているものであることを特徴とする請求項１〜請求項４の何れか１つに記載の物品表面装飾用チップ。
【請求項６】
表面側に色々な色彩や模様を施した複数枚の略平面形状チップを用意して、これらを任意に組合わせることで物品表面のベース部材を自由にカスタマイズして装飾できることを特徴とする請求項１〜請求項５の何れか１つに記載の物品表面装飾用チップのカスタム用セット。
【請求項７】
所定の順番で平面形状チップを並べることで所定の模様や言葉などが物品表面のベース部材上にパズル的に完成するようにされたことを特徴とする請求項６に記載の物品表面装飾用チップのカスタム用セット。
【発明の詳細な説明】
【技術分野】
【０００１】
本発明は、様々な素材の物品の表面上に平面的又は曲面的に形成した特別なベース部材面上に任意に貼付け取外しできる略平面的形状の装飾用チップ材料を提案するものである。
【背景技術】
【０００２】
様々な物品の表面を好みに応じてユーザー自らが装飾しようとする試みは従来から行われている。
すなわち、好みの絵や模様を描いたり装飾的シートやシールを貼り付けることが行われ、任意に着脱できる構造とされた専用の装飾部材を物品の特定箇所に取付けるようなことも行われている。
また、チップを利用した装飾部材に関する提案としては以下のものが存在している。
【特許文献１】実用新案登録第３０９０１０１号公報
【発明の開示】
【発明が解決しようとする課題】
【０００３】
物品表面に絵や模様を描くのは煩雑であると共に、その技量によっては望ましいものが描けるとは限らない。
また、装飾シートやシールを貼り付けるといってもその仕上がり状態は常識的なものであって新鮮な感動を呼ぶようなものにはなり難い。
さらに、装飾的なチップ材料を服やベルト、かばんやノートといった柔軟に折れ曲がる対象素材表面上に自在に着脱するという提案はなされていない。
上記文献１のものも、ケーキに対する装飾部材というだけであり、広く物品一般に対する応用の可能性を示したものではない。
【課題を解決するための手段】
【０００４】
本発明は上記したような従来技術の課題を解消すべく検討を重ねて創案されたものであり、各種物品の特定箇所をベースとして着脱構造を形成し、そこに相応しい平面的な装飾用チップを任意の枚数貼り付けてオリジナル物品とすることを提案すると共にチップ状ベース部材を利用して表面が柔軟素材である対象物に対しても好みの装飾チップを着脱することを提案するものであって、より具体的には以下の如くである。
【０００５】
（１）  所定の着脱構造により物品表面のベース部材に対して着脱可能とされた略平面形状チップであり、表面側が任意の色彩や模様、文字などによって平面的又は立体的に装飾され、所定形状の略平面形状チップを１枚又は複数枚連続して物品表面のベース部材に取付けることで、物品表面のベース部材全面や所定の範囲を被って好みの装飾を施すことができることを特徴とする物品表面装飾用チップ。
【０００６】
（２）  ベース部材もチップ状に形成されており、該チップ状ベース部材を適宜な柔軟性を持たせた紙、布、皮革、プラスチックなどのベースシート上の所定箇所に取付けることで、柔軟性を持った物品表面に対しても好みの装飾を施すことが可能となることを特徴とする前記（１）項に記載の物品表面装飾用チップ。
【０００７】
（３）  略平面形状チップが可撓性を有する素材により形成されており、該可撓性を利用してベース部材に対する着脱が可能となるようにされていることを特徴とする前記（１）項又は（２）項に記載の物品表面装飾用チップ。
【０００８】
（４） 略平面形状チップの表面側模様として各種のキャラクター形状を採用していることを特徴とする前記（１）項〜（３）項の何れか１つに記載の物品表面装飾用チップ。
【０００９】
（５） ベース部材を携帯ミラー、鉛筆入れ、整理ボックス、カレンダーケース、時計、ストラップ、キーチェーン、柔軟性素材による服やベルト、かばん、ノート、袋、帽子、箱などの各種物品表面に設けているものであることを特徴とする前記（１）項〜（４）項の何れか１つに記載の物品表面装飾用チップ。
【００１０】
（６）表面側に色々な色彩や模様を施した複数枚の略平面形状チップを用意して、これらを任意に組合わせることで物品表面のベース部材を自由にカスタマイズして装飾できることを特徴とする前記（１）項〜（５）項の何れか１つに記載の物品表面装飾用チップのカスタム用セット。
【００１１】
（７）  所定の順番で平面形状チップを並べることで所定の模様や言葉などが物品表面のベース部材上にパズル的に完成するようにされたことを特徴とする前記（６）項に記載の物品表面装飾用チップのカスタム用セット。
【発明の効果】
【００１２】
所定の着脱構造により物品表面のベース部材に対して着脱可能とされた略平面形状チップであり、表面側が任意の色彩や模様、文字などによって平面的又は立体的に装飾され、所定形状の略平面形状チップを１枚又は複数枚連続して物品表面のベース部材に取付けることで、物品表面のベース部材全面や所定の範囲を被って好みの装飾を施すことができることにより、任意のチップの組合せによって各種物品表面を好みのデザインでオリジナル装飾することが可能となる。
【００１３】
ベース部材もチップ状に形成されており、該チップ状ベース部材を適宜な柔軟性を持たせた紙、布、皮革、プラスチックなどのベースシート上の所定箇所に取付けることで、柔軟性を持った物品表面に対しても好みの装飾を施すことが可能となることにより、このような柔軟性素材により形成されている各種物品を対象とする場合であっても本発明の装飾用チップを適宜に応用することが可能となる。
【００１４】
略平面形状チップが可撓性を有する素材により形成されており、該可撓性を利用してベース部材に対する着脱が可能となるようにされていることで、該可撓性を利用したチップの着脱構造が採用できると共に、物品表面のベース部材に若干の曲面的な立体性がある場合でもチップを適切に追随させて貼り付けることが可能となる。
【００１５】
略平面形状チップの表面側模様として各種のキャラクター形状を採用していることにより、キャラクター形状を利用した趣味性の高いデザイン装飾を物品表面に施すことが可能となる。
【００１６】
ベース部材を携帯ミラー、鉛筆入れ、整理ボックス、カレンダーケース、時計、ストラップ、キーチェーン、柔軟性素材による服やベルト、かばん、ノート、袋、帽子、箱などの各種物品表面に設けているものであることで、表面にベース部材構造を形成することができる各種日常的物品一般に対して本発明が適用可能であることが理解される。特に、柔軟性素材による物品の表面にチップ状ベース部材を取付けることで、より多様な物品に対して自由自在に本発明チップによる装飾を施すことができるようになる。
【００１７】
表面側に色々な色彩や模様を施した複数枚の略平面形状チップを用意して、これらを任意に組合わせることで物品表面のベース部材を自由にカスタマイズして装飾できる物品表面装飾用チップのカスタム用セットとすることで、自由な組合せにより各種物品表面を好みに応じてデザイン装飾することが可能となる。
【００１８】
所定の順番で平面形状チップを並べることで所定の模様や言葉などが物品表面のベース部材上にパズル的に完成するようにされたことにより、装飾的目的と合わせてパズル的な楽しみをも持った提案とすることが可能となる。
【発明を実施するための最良の形態】
【００１９】
上記してきたような本発明の具体的な実施形態の若干を添付図面等を利用しながら以下において説明する。
図１は、本発明の物品表面装飾用チップ１とベース部材２に形成する着脱構造３について採用すべき１例を示した説明図面である。
【００２０】
すなわち、チップ１は対象物品の表面を装飾するのに相応しいように略平面形状のものとされ、図示の場合には正方形のタイル形状の如きを採用している。表面１ａ側には様々な着色を施したり模様や文字などを表示させて多様な好みに応じた装飾目的が達せられるように配慮するものである。
【００２１】
裏面１ｂ側にとチップ側取付構造３ａが形成されている。一方、対象物品の表面に形成される取付ベース部材２にはベース部材側取付構造３ｂが形成されており、両者を組合わせることでチップ１をベース部材２に対して適切に取付け又取外すことができるものである。
採用すべき取付構造３として、図示のものは嵌め込み式の１例を示しているが、任意の着脱が行えるのであれば公知の如何なる手法を用いても構わない。
【００２２】
チップ１の形状は物品表面の装飾目的に相応しいように略平面形状としている。ただし、完全な平面形状である必要はなく、曲面的などの若干の立体的形状を採用しても問題はない。かえって、より多様性のある物品表面装飾が可能となるものである。
【００２３】
また、チップ１の取付けは対象物品の表面の所定箇所に予め形成しているベース部材２部分に対してのみ行うものである。対象物品の表面全面にベース部材２を形成しても良いが、特に本発明を利用して好みの装飾を施すのに相応しい箇所にのみベース部材２を形成するものとして構わないのである。
【００２４】
物品表面のベース部材２に取付ける本発明のチップ１は１枚で装飾目的を達するものでも良いし、複数枚を連続的に組合わせて取付けるものでも良い。複数枚を取付ける場合にはその取付数に合わせてベース部材２上にベース部材側取付構造３ｂを形成しておく必要があるが、この場合には多種類の色彩や模様等を施したチップ１、１を適宜に組合わせることでオリジナリティに富んだ装飾を完成させることができる。
また、チップ１の平面的形状は図示のような正方形タイル形状に限られるものではなく、円形や三角形、星型その他の多様な形状が採用可能である。ただし、複数枚を連続的に取付けて物品のベース部材２の表面上をすべて被うように取付けたい場合には隣合うチップ１同士ですき間が生じないような形状を選択すべきである。
【００２５】
本発明のチップ１の素材としては、適当な可撓性を持ったプラスチック樹脂などが採用可能である。この適度な可撓性を利用して好ましい取付け状態を実現する取付構造３が可能となるし、略平面状のチップ１全体に適度な撓み性を持たせておくことで、対象物品表面のベース部材２部分に曲面等の若干の変化があったとしてもそれに追随して適切な取付状態を実現させることができるものである。
【００２６】
チップ１の表面に施すべき模様としては各所のキャラクター形状等を利用したものを採用することができる。このようにキャラクター形状模様を利用すれば、任意の各種物品表面を好みのキャラクターを使って装飾するオリジナル品を作ることができるのである。
【００２７】
装飾対象物品の表面を複数枚の本発明チップ１で装飾しようとする場合には、その表面側に予め様々な色彩や模様、文字などの表示を施した多数枚のチップ１、１をセットとして製品化しておくことが望ましい。ユーザーが自らの嗜好や美感に応じて自由な組合せを選択できるようにしておくことが重要だからである。
【００２８】
このような複数枚のチップ１によるセットであれば、例えば、文字チップ１を並べて言葉や文章を表示することができるし、色々な色彩や模様のチップ１を規則的に並べることで全体として１つの絵や模様が完成するというような使い方も可能となる。
また、予め描いておいた特定の絵模様などを複数枚のチップ１により分割してそれらをセットとする場合には、該絵模様を復元するパズル的な娯楽性をも兼ね備えたものとして本発明を実施することが可能であると理解される。
【００２９】
図２は、本発明の物品装飾用チップ１を、柔軟性を持った紙や布、皮革やプラスチックなどの素材によるベースシート２ａ上の所望位置に備付けさせるために専用のベースチップ材２ｂを利用する場合について説明する図面である。
つまり、本発明の装飾用チップ１の着脱はベースチップ部材２ｂとの関係において行われ、このベースチップ部材２ｂを柔軟性素材によるベースシート２ａの好ましい位置に取付けるようにしたものである。
【００３０】
この紙や布、皮革やプラスチックなどを利用した柔軟な素材による各種物品としては、服やベルト、かばんやノート、袋物や帽子、各種の収納用箱などが考えられ、このような物品に対しても本発明チップ１を利用した適切な装飾が可能となるのである。
【実施例】
【００３１】
本発明のより具体的な実施例の若干を、添付図面を利用して説明する。
図３は、本発明チップ１による装飾対象物品として折り畳み式携帯ミラー４を採用する場合の１例を説明するものである。
この携帯ミラー４はふた部５を開いて鏡４ａを表に出し、さらにふた部５を開くとそのままスタンド部材として機能し、テーブル上などに置いて鏡４ａを使用できる構造となっている。
【００３２】
このふた部５の表面側を全面ベース部材２となし、２０枚の本発明チップ１により覆って適宜な装飾を施し得るようにした例を図２は示しているものである。
前記のように、各チップ１の表面には任意の色彩や模様等を施したものを連続的に取付けることでオリジナリティの高い装飾を施すことができるのである。例えば、図示のように白く彩色したチップ１と黒く彩色したチップ１を交互に並べることで市松模様を形成することなどが可能となるものである。
【００３３】
もちろん、チップ１の取付けは固定的なものではなく、必要に応じて取外し交換することができるので、1つの携帯ミラー４でありながら、多様な装飾変化を自由に楽しむことができるようになるものである。
【００３４】
図４は、さらに多様な装飾対象物品表面にベース部２を設けてそこに本発明のチップ１を取付けるものとなし、一連のシリーズ商品展開を図る場合の１例を示したものである。
すなわち、各種の収納容器やアクセサリー類、文具一般などの各種物品に対して本発明を応用するものである。
【００３５】
より具体的には、上記の携帯用ミラー４に加えて、フォトスタンド６や立方体形状ブロック体７、携帯電話用ストラップ８やクリップ９、さらに筆記用具１０などに適宜に応用することが可能であると理解されるのである。
【００３６】
このように一連のデザイン商品化する場合には図５にその１例を示すように専用の展示スタンド１１に各商品を並べてディスプレイすることが好ましい。このような販売形態をとる場合には、様々な色彩や模様のチップ１をばら売りしたり複数枚のセットとして販売し、ユーザーの嗜好に応えることが可能となるものである。
【００３７】
また上記以外にも、例えば、鉛筆入れ、整理ボックス、カレンダーケース、時計などの物品表面の装飾に本発明が応用可能であることは容易に理解され、各種柔軟性素材による物品を含めて、それ以外にも広く各種物品一般の自由自在な表面装飾に本発明が利用できると考えられるものである。
【産業上の利用可能性】
【００３８】
以上説明したように、本発明による各種物品の表面装飾手法はあらゆる日常的物品に対して応用する可能性を秘めたものと理解され、しかもユーザーの多様な要求に対して適切に応える商品展開を図ることができるものである。
【００３９】
したがって、このような本発明は市場において新たな需要を喚起するものとして期待され、産業上の利用可能性において優れた発明であると解されるものである。
【図面の簡単な説明】
【００４０】
【図１】本発明の物品表面装飾用チップとベース部材に形成する着脱構造について採用すべき１例を示した説明図面である。
【図２】柔軟素材によるベースシート上に本発明の装飾チップを取付ける構造の１例を示す説明図面である。
【図３】本発明チップによる装飾対象物品として折り畳み式携帯ミラーを採用する場合の１例を説明するものである。
【図４】本発明を応用する各種物品例の幾つかを列挙表示した図面である。
【図５】上記各物品およびその展示手法の１例を示した説明図である。
【符号の説明】
【００４１】
１    本発明チップ
１ａ    チップ表面
１ｂ    チップ裏面
２    ベース部材
２ａ    柔軟素材によるベースシート
２ｂ    ベースチップ材
３    着脱構造
３ａ    チップ側取付構造
３ｂ    ベース部材側取付構造
４    折り畳み式携帯ミラー
５    そのふた部
６    フォトスタンド
７    立方体形状ブロック体
８    携帯電話用ストラップ
９    クリップ
１０    筆記用具
１１    専用展示スタンド
【図１】
2007062180.tif 000003
【図２】
2007062180.tif 000004
【図３】
2007062180.tif 000005
【図４】
2007062180.tif 000006
【図５】
2007062180.tif 000007